(57)【特許請求の範囲】
【請求項１】
警戒領域の環境変化を検出して検出信号を出力するセンサ部と、
警報音を出力する音響変換器と、
警報を表示する警報表示器と、
前記センサ部の検出信号出力から検知した前記警戒領域における異状や、音声出力系統の試験結果から検知した前記音響変換器の警報音出力性能の低下又は喪失状態を示す警報音障害をはじめとするイベントを検知し、前記警報音障害を検知した場合に、警報音障害フラグをメモリに記憶させると共に前記警報表示器を駆動して障害警報表示させるイベント検知部と、
前記イベント検知部で異状を検知したときに前記警報音障害フラグが記憶されていない場合、前記音響変換器から警報音を出力させると共に前記警報表示器を駆動して警報表示させる警報処理部と、
前記イベント検知部で異状を検知したときに前記警報音障害フラグが記憶されている場合、前記警報表示器を駆動して前記警報表示及び前記障害警報表示とは異なる警報動作を行わせる警報音代替処理部と、
を設けたことを特徴とする警報器。
【請求項２】
請求項１記載の警報器に於いて、前記警報音代替処理部は、前記イベント検知部で警報音障害検知を検出した場合、前記警報表示器に流す駆動電流を増加させて表示輝度を上げることを特徴とする警報器。
【請求項３】
請求項２記載の警報器に於いて、当該警報器が電池電源で動作する場合、前記警報表示器に流す駆動電流の増加分は、前記音響変換器の設定平均駆動電流を超えないことを特徴とする警報器。
【請求項４】
請求項１記載の警報器に於いて、
更に、前記警報表示器以外に１又は複数の表示器を備え、
前記警報音代替処理部は、前記イベント検知部で警報音障害を検知した場合、前記警報表示器および前記表示器の少なくとも１つを駆動して警報表示させることを特徴とする警報器。
【請求項５】
請求項４記載の警報器に於いて、当該警報器が電池電源で動作する場合、前記警報表示器以外の１又は複数の表示器の駆動に要する電流は、前記音響変換器の設定平均駆動電流を超えないことを特徴とする警報器。
【請求項６】
請求項１記載の警報器に於いて、更に、
他の警報器に異状を示すイベント信号を送信する送信部と、
他の警報器から異状を示すイベント信号を受信する受信部と、
を備え、
前記警報音代替処理部は、前記イベント検知部で警報音障害を検知した場合、前記送信部の送信頻度を増加させることを特徴とする警報器。
【請求項７】
請求項６記載の警報器に於いて、当該警報器が電池電源で動作する場合、前記送信頻度を増加させるときの前記警報表示器に流す駆動電流の増加分は、前記音響変換器の設定平均駆動電流を超えないことを特徴とする警報器。
【請求項８】
請求項１記載の警報器に於いて、
前記イベント検知部は、前記イベントとして、前記警報音障害以外に電池電源の電圧低下および前記センサ部の故障をはじめとする障害を検知し、
前記警報処理部は、前記イベント検知部で警報音障害以外の他の障害を検知した場合、前記音響変換器からの障害警報音と警報表示器の警報表示とにより障害警報を出力させ、
前記警報音代替処理部は、前記イベント検知部で前記警報音障害検知及び他の障害を検知した場合、前記音響変換器の障害警報出力に代替する警報動作を行わせることを特徴とする警報器。
【請求項９】
警戒領域の環境変化を検出して検出信号を出力するセンサ部と、
警報音を出力する音響変換器と、
警報を表示する警報表示器と、
警報振動を発生させる警報振動器と、
前記センサ部の検出信号出力から検知した前記警戒領域における異状や、音声出力系統の試験結果から検知した前記音響変換器の警報音出力性能の低下又は喪失状態を示す警報音障害をはじめとするイベントを検知するイベント検知部と、
前記イベント検知部で異状を検知した場合、前記音響変換器から警報音を出力させると共に前記警報表示器を駆動して警報表示させる警報処理部と、
前記イベント検知部で警報音障害を検知した場合、前記警報振動器に駆動電流を流して警報振動を発生させる警報音代替処理部と、
を設けたことを特徴とする警報器。
【請求項１０】
請求項９記載の警報器に於いて、当該警報器が電池電源で動作する場合、前記警報振動器に流す駆動電流は、前記音響変換器の設定平均駆動電流を超えないことを特徴とする警報器。
【発明の詳細な説明】
【技術分野】
【０００１】
本発明は、火災等の異状や障害を検知して警報音出力と警報表示を行う警報器に関する。
【背景技術】
【０００２】
従来、住宅における火災やガス漏れなどの異状を検知して警報する警報器が普及している。このうち、住宅用火災警報器を住警器と言う。
【０００３】
このような住警器にあっては、住警器内にセンサ部と警報部を一体に備え、センサ部の検出信号から火災を検知すると警報部から音声メッセージを含む所定パターンの火災警報音を出力するようにしており、専用の受信設備等を必要とせず住警器単体で火災監視と警報ができることから、設置が簡単でコスト的にも安価であり、一般住宅での設置義務化に伴い広く普及している。
【０００４】
また、複数の住警器間で通信を行うことによって、任意の住警器で火災警報音が出力されると、他の住警器でも連動して火災警報音を出力させる連動型の住警器システムも提案されている。
【０００５】
このような連動型の住警器システムでは、住警器で火災を検知した場合、火災を検知した連動元の住警器は、メッセージと警報音を含む所定パターンの火災警報音、例えば「ピーピーピー  火災です  火事です」を出力し、一方、連動先の警報器では例えば「ピーピーピー  別の警報器が作動しました」といった連動先を示す火災警報音を出力するようにしている。
【０００６】
また、近年、住警器の低消費電力化が推し進められた結果、電池寿命が例えば１０年以上といった長寿命が保証されており、その間、電池交換は不要である。長期間使用して電池寿命に近づき、電池電圧（残り容量）の低下が検出されると、電池切れ予告警報（以下、「ローバッテリー障害警報」と言う）を出力して電池交換を促すようにしている。
【０００７】
ローバッテリー障害警報の出力開始後（電池電圧低下検出後）は、引き続き所定時間（例えば７２時間）以上にわたって断続的なローバッテリー警報出力が可能であれば良いものとされており、即ち、所定時間以内に電池交換が行われれば問題ないものとされている。一般的には、この期間中も正常な監視動作が出来るように設計されていることから、ローバッテリー警報は火災警報のように緊急性の高い警報ではない。
【０００８】
また従来の住警器にあっては、ローバッテリー障害の有無を周期的に判断する自動点検以外に、センサや検出回路、音声報知回路故障の有無、汚損等による感度異状などセンサ障害を検知する自動点検を周期的に実行してメモリに記憶しており、通常状態で警報停止スイッチの操作により点検を指示すると、メモリに記憶された点検結果を報知するようにしている。
【０００９】
点検結果の報知は、障害がなければ、例えば火災警報音と同じ「ウーウー  火災警報器が作動しました  確認してください」といった警報音を、スピーカを点検するため低い音量で１回出力する。一方、ローバッテリー障害を検出していれば「ピッ  電池切れです」といった障害警報音を複数回出力し、また、センサ障害を検出していれば「ピッ  故障です」といった障害警報音を複数回出力する。
【先行技術文献】
【特許文献】
【００１０】
【特許文献１】特開２００７−０９４７１９号公報
【特許文献２】実用新案登録第３１５４５７９号公報
【特許文献３】特開２００９−２４４９３７号公報
【発明の概要】
【発明が解決しようとする課題】
【００１１】
しかしながら、このような従来の住警器にあっては、スピーカからの音声メッセージによる警報が重要であり、スピーカ系統が故障して音が出なくなると、住警器としての機能が失われるという問題がある。
【００１２】
本発明は、スピーカからの警報音が出なくなる障害が発生しても、警報音に代替する警報動作を行って警報機能の低下を抑制する警報器を提供することを目的とする。
【課題を解決するための手段】
【００１３】
本発明は、警報器に於いて、
警戒領域の環境変化を検出して検出信号を出力するセンサ部と、
警報音を出力する音響変換器と、
警報を表示する警報表示器と、
センサ部の検出信号出力から検知した警戒領域における異状や、音声出力系統の試験結果から検知した音響変換器の警報音出力性能の低下又は喪失状態を示す警報音障害をはじめとするイベントを検知し、警報音障害を検知した場合に、警報音障害フラグをメモリに記憶させると共に警報表示器を駆動して障害警報表示させるイベント検知部と、
イベント検知部で異状を検知したときに警報音障害フラグが記憶されていない場合、音響変換器から警報音を出力させると共に警報表示器を駆動して警報表示させる警報処理部と、
イベント検知部で異状を検知したときに警報音障害フラグが記憶されている場合、警報表示器を駆動して警報表示及び障害警報表示とは異なる警報動作を行わせる警報音代替処理部と、
を設けたことを特徴とする。
【００１４】
ここで、警報音代替処理部は、イベント検知部で警報音障害検知を検知した場合、警報表示器に流す駆動電流を増加させて表示輝度を上げる。
【００１５】
警報器が電池電源で動作する場合、警報表示器に流す駆動電流の増加分は、音響変換器の設定平均駆動電流を超えない。
【００１６】
更に、警報表示器以外に１又は複数の表示器を備え、
警報音代替処理部は、イベント検知部で警報音障害を検知した場合、警報表示器および表示器の少なくとも1つを駆動して警報表示させる。
【００１７】
警報器が電池電源で動作する場合、警報表示器以外の１又は複数の表示器の駆動に要する電流は、音響変換器の設定平均駆動電流を超えない。
【００１８】
更に、
異状を示すイベント信号を送信する送信部と、
他の警報器から異状を示すイベント信号を受信する受信部と、
を備え、
警報音代替処理部は、イベント検知部で警報音障害を検知した場合、送信部の送信頻度を増加させる。
【００１９】
警報器が電池電源で動作する場合、送信頻度を増加させるときの警報表示器に流す駆動電流の増加分は、音響変換器の設定平均駆動電流を超えない。
【００２０】
イベント検知部は、イベントとして、警報音障害以外に電池電源の電圧低下およびセンサ部の故障をはじめとする障害を検知し、
警報処理部は、イベント検知部で警報音障害以外の他の障害を検知した場合、音響変換器からの障害警報音と警報表示器の警報表示とにより障害警報を出力させ、
警報音代替処理部は、イベント検知部で警報音障害検知及び他の障害を検知した場合、音響変換器の障害警報出力に代替する警報動作を行わせる。
【００２１】
本発明は、警報器に於いて、
警戒領域の環境変化を検出して検出信号を出力するセンサ部と、
警報音を出力する音響変換器と、
警報を表示する警報表示器と、
警報振動を発生させる警報振動器と、
センサ部の検出信号出力から検知した警戒領域における異状や、音声出力系統の試験結果から検知した音響変換器の警報音出力性能の低下又は喪失状態を示す警報音障害をはじめとするイベントを検知するイベント検知部と、
イベント検知部で異状を検知した場合、音響変換器から警報音を出力させると共に警報表示器を駆動して警報表示させる警報処理部と、
イベント検知部で警報音障害を検知した場合、警報振動器に駆動電流を流して警報振動を発生させる警報音代替処理部と、
を設けたことを特徴とする。
【００２２】
警報器が電池電源で動作する場合、警報振動器に流す駆動電流は、音響変換器の設定平均駆動電流を超えない。
【発明の効果】
【００２３】
本発明の警報器によれば、スピーカやブザーなどの音響変換器からの警報音性能の低下又は出力線断線などにより警報音が出ない警報音喪失状態といった警報音障害が発生し、この状態で火災などの異状を検知した場合、警報音による警報出力に代替する警報音代替処理として、例えばＬＥＤ等の警報表示器に流す駆動電流を増加して警報表示の輝度を高めて強く光るようにしたり、或いは警報器に設けている他の表示器を警報表示器と共に駆動して複数の表示器を光らせて警報表示を行う等の代替制御を行うことで、警報音が出ないことによる警報機能の低下を抑制し、より確実に利用者に異状発生を知らせることができる。
【００２４】
また住警器が無線通信により異状を示すイベント信号を送信して異状警報を連動させる場合には、警報音性能の低下又は出力線断線などにより警報音が出ない警報音喪失状態といった警報音障害が発生した場合、異状を示すイベント信号の送信電力又は送信頻度を増加させ、迅速且つ確実に他の警報器にイベント信号を送信することで、連動先の警報器からの警報音による警報で代替し、より確実に利用者に異状の検知を警報することができる。
【００２５】
また警報音性能の低下又は出力線断線などにより警報音が出ない警報音喪失状態といった状態でローバッテリー障害やセンサ障害などを検知した場合にも、ＬＥＤ等の警報表示器に流す駆動電流を増加させて警報表示の輝度を高めて強く光らせるといった警報音代替処理を行うことで、警報音が出ないことにより低下した警報機能の低下を抑制し、より確実に利用者に障害発生を知らせることができる。
【図面の簡単な説明】
【００２６】
【図１】本発明による住警器の外観を示した説明図
【図２】本発明による住警器の実施形態を示したブロック図
【図３】図２の住警器による監視処理を示したフローチャート
【図４】図３に続く住警器の監視処理を示したフローチャート
【図５】図４に続く住警器の監視処理を示したフローチャート
【図６】警報音代替処理として複数のＬＥＤを駆動する本発明による住警器の他の実施形態を示したブロック図
【図７】無線連動型の住警器による監視システムを設置した住宅を示した説明図
【図８】図７に示す無線連動型となる住警器の実施形態を示したブロック図
【図９】図８の実施形態で使用するイベント信号のフォーマットを示した説明図
【図１０】図８の住警器による監視処理を示したフローチャート
【図１１】図１０に続く住警器の監視処理を示したフローチャート
【図１２】図１１に続く住警器の監視処理を示したフローチャート
【図１３】図１２に続く住警器の監視処理を示したフローチャート
【発明を実施するための形態】
【００２７】
図１は単独で設置して使用する所謂スタンドアロー型となる本発明による住警器の外観を示した説明図であり、図１（Ａ）に正面図を、図１（Ｂ）に側面図を示している。なお、取付フック１５を設けているほうを上側とする。
【００２８】
図１において、本実施形態の住警器１０の筐体はカバー１２と本体１４で構成されている。カバー１２の中央には、周囲に複数の煙流入口を開口し、その内部には検煙部１６が配置され、警戒領域の環境変化として火災による煙が所定濃度に達したときに火災を検知するようにしている。検煙部１６としては例えば、公知の散乱光式検煙機構が適用できる。
【００２９】
カバー１２に設けた複数の開口部の内部には検煙部１６を備え、検煙部１６の左下側には音響孔１８が設けられ、この背後にブザーやスピーカを内蔵し、警報音や音声メッセージを出力できるようにしている。検煙部１６の下側には警報停止スイッチ２０が設けられている。
【００３０】
警報停止スイッチ２０は外部から住警器１０の点検結果の報知を指示する点検スイッチとしての機能を兼ねている。たとえば、火災警報時に警報停止スイッチ２０が操作されると警報を停止し、通常状態で警報停止スイッチ２０が操作されるとメモリに記憶されている自動点検の結果を報知する。ここで通常状態とは、少なくとも火災警報中または障害警報中でない状態を指す。
【００３１】
警報停止スイッチ２０は、半透明部材で形成されたスイッチカバーと、スイッチカバーの内部に配置されたプッシュスイッチ（図示せず）とで構成されている。即ち、スイッチカバーを押圧操作すると、内蔵のプッシュスイッチが押圧されるようになっている。スイッチカバー内部のプッシュスイッチ近傍には、点線で示すように警報等表示を行うＬＥＤ２２が配置されており、ＬＥＤ２２が点灯、点滅、明滅作動すると、作動光が警報停止スイッチ２０のスイッチカバーの部分を透過してＬＥＤ２２の作動状態が外部から視認できるようにしている。
【００３２】
また本体１４の裏側上部には略中央部に挿通孔を有する取付フック１５が設けられており、設置する部屋の壁にビスなどをねじ込み、この取付フック１５の挿通孔にビスを通して引っかけることで、壁面等に住警器１０を所謂壁掛け状に固定設置することができる。
【００３３】
住警器１０は、住宅の設置場所に対応する監視領域について監視を行い、火災が発生したとすると、火災を検知して警報を開始する。この火災を検知して警報を開始することを、住警器における「発報」という。
【００３４】
住警器１０の警報動作としては、例えば「ピーピーピー  火事です  火事です」といったスイープ音と音声メッセージからなる所定パターンの火災警報音を出力させる。ここで前半の「ピーピーピー」はスピーカを駆動する音声信号の信号振幅が一定で周波数が例えば２〜３ＫＨｚで変化するスイープ警報音である。また住警器１０の火災警報に伴う警報表示としてＬＥＤ２２を点滅、点滅又は明滅させる。
【００３５】
住警器１０が警報音を出している状態で、警報停止スイッチ２０を操作すると、警報音及び警報表示の停止処理が行われる。
【００３６】
また住警器１０は電池電源から供給される電圧の低下からローバッテリー障害を判別する障害検知処理（自動点検）をビルドインテストとして所定周期毎にバックグラウンドで実行しており、ローバッテリー障害を検知した場合、ローバッテリー障害警報を出力させる。
【００３７】
ローバッテリー障害警報は、住警器１０のスピーカから例えば「ピッ  電池切れです」を複数回連続出力すると共にＬＥＤを例えば点灯し、その後は、定期通報タイマにより所定時間毎に「ピッ  電池切れです」の音声出力とＬＥＤ２２による表示を複数回行う処理を繰り返させる。
【００３８】
また住警器１０は通常状態で点検スイッチとして機能する警報停止スイッチ２０を操作した場合、ビルドインテストとしてバックグランドで実行された障害検知処理によりローバッテリー障害を検知してメモリに更新記憶している場合には、ローバッテリー障害警報として例えば「ピッ  電池切れです」を複数回連続出力すると共にＬＥＤ２２を例えば点灯させる。一方、ローバッテリー障害が検知されていない正常時には、スピーカ動作を点検するために火災警報音と同じ内容「ピーピーピー  火事です  火事です」をスピーカ点検用警報音として低音量で１回出力させると共に、ＬＥＤを例えば点灯させる。
【００３９】
また住警器１０はセンサ障害を判別する障害検知処理（自動点検）をビルドインテストとして所定周期毎にバックグラウンドで実行しており、センサ障害を検知した場合、センサ障害警報を出力させる。住警器１０で判別するセンサ障害には、センサや検出回路、音声報知回路故障の有無、汚損等による感度異状などが含まれている。
【００４０】
また住警器１０は通常状態で点検スイッチとして機能する警報停止スイッチ２０を操作した場合、ビルドインテストとしてバックグランドで実行された障害検知処理によりセンサ障害を判別してメモリに更新記憶している場合には、スピーカから障害警報音として例えば「ピッ  故障です」を複数回連続出力させると共に、ＬＥＤ２２を例えば点灯させ、その後は定期通報タイマにより所定時間毎に「ピッ  故障です」の音声出力とＬＥＤ２２の点灯による表示を複数回繰り返させる。
【００４１】
一方、センサ障害が判別されていない正常時には、スピーカ動作を点検するために火災警報音と同じ内容の「ウーウー  火事です  火事です」をスピーカ点検用警報音として低音量で１回出力させると共に、ＬＥＤを例えば点灯させる。
【００４２】
また住警器１０はスピーカから音の出なくなる異状をはじめとする警報音障害を検知する障害検知処理（自動点検）をビルドインテストとして所定周期毎にバックグラウンドで実行している。ここで警報音障害には、スピーカ断線等による警報音出力性能喪失状態だけでなく、スピーカ線を流れる電流（振幅や平均）が所定範囲にないインピーダンス異常や駆動回路故障などの警報音出力性能の低下も含まれる。
【００４３】
住警器１０は、警報音障害を検知した場合、スピーカから警報音は出せないことからＬＥＤ２２を例えば点灯させる。
【００４４】
更に、スピーカから音の出なくなる異状をはじめとする警報音障害を検知した状態で、火災を検知した場合、火災警報音が出ないことに対する代替処理として例えばＬＥＤ２２に流す駆動電流を増加させてＬＥＤ２２を強く光らせることで、火災警報の出力を利用者に強く知らせるようにする。
【００４５】
この点は、スピーカから音の出なくなる異状をはじめとする警報音障害を検知した状態で、ローバッテリー障害又はセンサ障害を検知した場合も同様であり、障害警報音が出ないことに対する代替処理として例えばＬＥＤ２２に流す駆動電流を増加させてＬＥＤ２２を強く光らせることで、障害警報の出力を利用者に強く知らせるようにする。
【００４６】
なお図１の住警器１０にあっては、検煙部１６を備え、火災に伴い発生する煙に基づいて火災を検知する住警器を例に取っているが、これ以外に火災による熱を検出するサーミスタ等の温度検出素子を備えた住警器や火災に伴うその他の物理現象を検出する住警器、火災以外にガス漏れを検出する警報器、侵入者や地震その他の異状（異状）を検出する各種の警報器、これらを組み合わせて成る警報器についても、本発明の対象に含まれる。
【００４７】
図２は図１に示した住警器の実施形態を示したブロック図である。これは一例であり、各機能の分離、統合は任意に行うことができる。また各機能のそれぞれの一部または全部は、ソフトウェア（プログラム）によって実行されるものであっても、ハードウェアによって実行されるものであっても良い。
【００４８】
図２において、住警器１０はワンチップＣＰＵとして知られたプロセッサ２４を備え、プロセッサ２４に対してはメモリ２６、センサ部２８、報知部３０、操作部３２、移報部３４及び電池電源３５を設けている。
【００４９】
センサ部２８には、煙を検出して煙濃度に応じた検出信号を出力する検煙部１６を設けている。前述のように、センサ部２８には検煙部１６に代えて、火災による温度を検出して検出信号を出力する素子やセンサ、火災に伴うその他の物理現象変化を検出して検出信号を出力する各種素子やセンサを設けても良い。
【００５０】
またメモリ２６にはビルドインテストとしてバックグラウントで実行される定期的な障害監視処理（自動点検）による障害検知結果として、ローバッテリー障害フラグ５２またはセンサ障害フラグ５４が各障害を検知した場合に更新記憶される。またローバッテリー障害やセンサ障害を検知した後の定期的な障害警報の出力に使用される定期通報タイマ５８が設けられる。なお、定期通報タイマ５８はメモリ２６に配置せず、プロセッサ２４で実行されるプログラム上に記述して実行しても良い。
【００５１】
更に本実施形態にあっては、定期的な障害監視処理（自動点検）による障害検知結果として警報音障害フラグ５６が記憶され、警報音障害フラグ５６は報知部３０に設けたスピーカ３６から音の出なくなる異状をはじめとする警報音障害を示す。
【００５２】
報知部３０には警報音等を出力する音響変換器であるスピーカ３６と警報表示等を行うＬＥＤ２２が設けられている。スピーカ３６は、図示しない音声合成回路部から、自己が保持している各種の音声メッセージや警報音等を、図示しない増幅部を介して出力させる。なお、スピーカ３６に代えて圧電ブザーなどを設けても良い。
【００５３】
ＬＥＤ２２は点灯、点滅又は明滅により火災や障害などの警報を表示させる。更に、本実施形態にあっては、スピーカ３６から音の出なくなる異状をはじめとする警報音障害を検知した場合に、ＬＥＤ２２に流す駆動電流を増加して強く光らせる警報音代替処理にも使用する。
【００５４】
またＬＥＤ２２に代え、２色ＬＥＤや液晶表示器等を設けても良い。もちろん、ＬＥＤと液晶表示器を併設するなどしても良い。
【００５５】
操作部３２には警報停止スイッチ２０が設けられている。警報停止スイッチ２０は、報知部３０からスピーカ３６により火災や障害の警報音を出力させている場合又はＬＥＤ２２により警報表示を行わせている場合にのみ警報停止スイッチとして機能する。
【００５６】
一方、火災警報または障害警報を行っていない通常状態においては、警報停止スイッチ２０は点検スイッチとして機能し、この状態で警報停止スイッチ２０を操作すると点検操作（点検指示入力）が検出され、ビルドインテストとしてバックグラウンドで実行されてメモリ２６に更新記憶されている点検結果の報知が行われる。点検結果の報知は障害報知と正常報知があり、正常報知の際にはスピーカ３６からの点検用警報音の出力とＬＥＤ２２の点灯、点滅又は明滅により点検表示が行われる。
【００５７】
移報部３４は火災を検知して警報した場合に他の機器に移報信号を出力する。移報信号としては例えばリレー接点のオンによる無電圧信号が出力される。
【００５８】
電池電源３５は、例えば所定セル数のリチウム電池やアルカリ乾電池を使用しており、電池容量としては住警器１０における回路部全体の低消費電力化により、例えば１０年の電池寿命を保証している。
【００５９】
プロセッサ２４にはプログラムの実行により実現される機能として、イベント検知部３８、警報処理部４０及び警報音代替処理部５０の機能が設けられる。
【００６０】
イベント検知部３８は、センサ部２８の検出信号出力から検知した火災の有無、操作部３２による警報停止指示入力の有無や点検指示入力の有無、センサ部２８の検出信号出力が低下して火災検知状態が解消される火災復旧、センサ障害やローバッテリー障害、スピーカ３６の警報音障害、更に、スピーカ３６の警報音出力性能の低下又は喪失状態を示す警報音障害等のイベントを検出する。
【００６１】
警報処理部４０は、センサ部２８に設けた検煙部１６の煙検出信号に基づきイベント検知部３８で火災が検知された場合に、イベント検知部３８からその旨を示す信号を受け取り、これに基づき報知部３０を制御してスピーカ３６から火災を示す警報音例えば「ピーピーピー  火事です  火事です」の音声メッセージを繰り返し出力させる共にＬＥＤ２２を例えば点灯させて火災を示す警報表示を行わせる。
【００６２】
また警報処理部４０は火災警報音の出力中に、イベント検知部３８で警報停止スイッチ２０の操作が検知されてその旨を示す信号を受けた場合、報知部３０に制御を指示してスピーカ３６からの火災警報音出力とＬＥＤ２２の警報表示による火災警報を停止させる。このときはＬＥＤ２２による警報表示については、所定時間継続した後に停止させても良い。
【００６３】
またイベント検知部３８は、ローバッテリー障害検知、センサ障害検知及び警報音障害検知の各処理をビルトインテストとしてバックグラウンドで周期的に自動実行させ、その都度結果がメモリ２６に更新記録させている。
【００６４】
具体的には、イベント検知部３８は、所定の測定時間間隔、例えばＴ１＝４時間間隔で図示しない電圧検出回路を介して直接的又は間接的に、電池電源３５から供給される電源電圧をＡ／Ｄ変換により読み込んで所定の閾値電圧と比較し、この閾値電圧以下の時にローバッテリー障害の検出を予備判定（仮判定）し、更にローバッテリー障害検出の予備判定（仮判定）が連続して所定回数続いたときにローバッテリー障害と判定（確定）し、ローバッテリー障害フラグ５２をセットしてメモリ２６に更新記憶させる。
【００６５】
またイベント検知部３８は、所定の測定時間間隔、例えばＴ２＝１秒間隔でセンサ部２８の検煙部１６から出力される煙濃度検出信号をＡ／Ｄ変換により読み込んでメモリ２６のバッファ領域に保持させ、例えば所定の時間間隔Ｔ３＝１０分毎に、メモリ２６のバッファ領域に保持させている１０分間ぶんの検出データの平均値を求め、この平均値が所定の基準レベル（零点レベルという）を下回った時に出力停止状態である等としてセンサ部２８の障害と判定し、センサ障害フラグ５４をセットしてメモリ２６に更新記憶させる。
【００６６】
このように煙濃度検出信号の１０分間平均値が零点レベルを下回る原因は、検煙部１６に設けている受光素子故障や受光素子からの出力信号線断線、受光アンプの停止などの障害が発生したことによるものである可能性が高いためセンサ障害とする。なお、センサ部２８にサーミスタなどの温度検出素子を設けた場合にも、各種の処理により、同様にセンサ障害を検出することができる。このような障害についても、検出後はセンサ障害と同様の処理を行ことから、本実施形態にあってはセンサ障害と総称している。
【００６７】
またイベント検知部３８は、所定の測定時間間隔、例えばローバッテリー障害検知と同じＴ１＝４時間間隔で図示しないスピーカ３６を含む音声出力系統を試験して警報音障害を検知する。音声出力系統の試験としては、例えばスピーカ３６に対し音が出ないＤＣ試験信号を出力し、スピーカ駆動電流の検出電圧をＡ／Ｄ変換により読み込んで所定の閾値電圧と比較し、この閾値電圧以下の時にスピーカ出力線断線による警報音障害検出を予備判定（仮判定）し、更に警報音障害検出の予備判定（仮判定）が連続して所定回数続いたときに警報音障害と判定（確定）し、警報音障害フラグ５６をセットしてメモリ２６に更新記憶させる。
【００６８】
またイベント検知部３８は、スピーカ断線等による警報音出力性能喪失状態だけでなく、スピーカ線を流れる電流（振幅や平均）が所定範囲にないインピーダンス異常や駆動回路故障などの警報音出力性能の低下についても、例えばスピーカ出力線の断線判定に用いる閾値電圧より高い別の閾値電圧を設定し、それより低い場合に、警報音出力性能の低カを判定して警報音障害フラグ５６をセットしてメモリ２６に更新記憶させる。
【００６９】
このように本実施形態におけるローバッテリー障害、センサ障害及び警報音障害の検知処理（自動点検）はビルドインテストとしてバックグラウンドで実行されているが、バックグラウンドで行わずに、通常状態で警報停止スイッチ２０の操作を検出した場合（点検の指示を検知した場合）に、バッテリー障害検知、センサ障害検知及び警報音障害を含む所定の障害検知処理を実施して結果を報知するようにしても良い。
【００７０】
また、イベント検知部３８は、障害警報中に警報停止スイッチ２０の操作が検知された場合には、バッテリー障害、センサ障害及び警報音障害を含む障害検知動作（点検動作）を再度実施して結果を報知した後に障害警報停止処理を行うようにしても良い。このようにすれば、例えばセンサ故障等を再チェックした後に障害警報停止処理が行われるので、ユーザに対し、故障状態をより明確に認知させることができる。
【００７１】
警報処理部４０は、イベント検知部３８でローバッテリー障害が検知された場合、その旨の信号を受けて報知部３０に制御を指示し、報知部３０のスピーカ３６からローバッテリー障害の警報音として例えば「ピッ  電池切れです」を複数回連続出力させると共にＬＥＤ２２を例えば点灯させる。その後は、メモリ２６の定期通報タイマ５８を起動し、メモリ２６に更新記憶されているローバッテリー障害フラグ５２に基づき所定時間毎に「ピッ  電池切れです」の音声出力とＬＥＤ２２による表示を複数回行う処理を繰り返す。
【００７２】
また警報処理部４０は、イベント検知部３８でセンサ障害が検知された場合、その旨を示す信号を受けて報知部３０に制御指示し、スピーカ３６からセンサ障害の警報音として例えば「ピッ  故障です」を複数回連続出力させると共にＬＥＤ２２を例えば点灯させる。その後はメモリ２６の定期通報タイマ５８を起動させ、メモリ２６に更新記憶されているセンサ障害フラグ５４に基づき所定時間毎に「ピッ  故障です」の音声出力とＬＥＤ２２による表示を複数回行う処理を繰り返させる。
【００７３】
また警報処理部４０は、イベント検知部３８により通常状態で警報停止スイッチ２０の操作による点検操作（点検指示入力）が検知されてその旨を示す信号を受けると共に、メモリ２６にローバッテリー障害フラグ５２が記憶されていることを検知した場合には、報知部３０に制御を指示してそのスピーカ３６から例えば「ピッ  電池切れです」を複数回連続出力させると共にＬＥＤ２２を例えば点灯させる。
【００７４】
また警報処理部４０は、イベント検知部３８で警報停止スイッチ２０の操作による点検操作（点検指示入力）が検知されてその旨を示す信号を受けると共に、メモリ２６にセンサ障害フラグ５４が記憶されていることを検知した場合には、報知部３０に制御を指示してそのスピーカ３６から例えば「ピッ  故障です」を複数回連続出力させると共にＬＥＤ２２を例えば点灯させる。
【００７５】
このように点検のために警報停止スイッチ２０を操作した場合には、住警器の前に必ず人がいることから、ローバッテリー障害やセンサ障害を確実に知らせることができる。
【００７６】
さらに警報処理部４０は、イベント検知部３８で警報停止スイッチ２０の操作による点検操作（点検指示入力）が検知されてその旨を示す信号を受けると共に、メモリ２６にローバッテリー障害フラグ５２およびセンサ障害フラグ５４が記憶されていないことを検知した場合は正常と判断し、この場合には、報知部３０に制御を指示し、スピーカ３６から正常に警報音が出力されることを確認するスピーカ点検のため、火災警報音と同じ内容をもつ「ピーピーピー  火事です  火事です」をスピーカ点検用警報音として低音量で１回出力させると共にＬＥＤ２２を例えば点灯させて点検表示を行わせる。
【００７７】
なお、警報処理部４０は、イベント検知部３８で警報停止スイッチ２０の操作による点検操作（点検指示入力）が検知されてその旨を示す信号を受けた場合、イベント検知部３８に制御を指示してローバッテリー障害およびセンサ障害の障害検知処理（点検）を再度実行させ、障害を検知したら障害警報を出力させ、正常を検知すればスピーカ点検用警報音の出力と点検表示を行わせるようにしても良い。これにより最新の点検結果を報知することができる。
【００７８】
警報音代替処理部５０は、イベント検知部３８によりスピーカ３６から音の出なくなる異状をはじめとする警報音障害が検知されてメモリ２６に警報音障害フラグ５６が更新記憶された状態で、イベント検知部３８で火災が検出されてその旨を示す信号を受けた場合、報知部３０に制御を指示してスピーカ３６から火災警報音を出力させようとしても例えば音がでないことから、それに代えてＬＥＤ２２に流す駆動電流を増加させて輝度を高め、スピーカ３６から火災警報音が出ない状況であってもＬＥＤ２２からの光を強くして点灯させることで、より確実に利用者に火災警報を伝えるようにする。
【００７９】
ここで、警報音障害に対する代替処理によりＬＥＤ２２に流す駆動電流の増加分は、スピーカ３６に流す警報音出力のための例えば設定平均駆動電流を超えない範囲とし、スピーカ３６が正常に機能している場合と同等またはそれ以下となるような電池電源３５の消耗度合とする。なお、電池電源ではなく、ＡＣ電源などの外部電源で動作する場合は、このような駆動電流の制限は必ずしも必要ない。
【００８０】
また警報音代替処理部５０は、イベント検知部３８によりスピーカ３６から例えば音のでない警報音障害が検知されてメモリ２６に警報音障害フラグ５６が更新記憶された状態で、イベント検知部３８によりローバッテリー障害検知またはセンサ障害検知が検知されてその旨を示す信号を受けた場合、報知部３０に制御を指示してスピーカ３６から障害警報音を出力させようとしても音がでないことから、それに代えてＬＥＤ２２に流す駆動電流を増加させて輝度を高め、例えばスピーカ３６から障害警報音が出ない状況であってもＬＥＤ２２からの光を強くして点灯させることで、より確実に利用者に障害警報を伝えるようにする。
【００８１】
この場合にも、警報音障害に対する代替処理によりＬＥＤ２２に流す駆動電流の増加分は、スピーカ３６に流す警報音出力のための例えば設定平均駆動電流を超えない範囲とし、スピーカ３６が正常に機能している場合と同等またはそれ以下となるような電池電源３５の消耗度合とする。
【００８２】
図３乃至図５は、図２の住警器１０における監視処理の例を示したフローチャートである。図３において、住警器１０の電池電源３５による電源供給が開始されると、ステップＳ１で初期化、自己診断、各種設定の読み込みを実行し、異状がなければステップＳ２に進み、火災を監視している。
【００８３】
センサ部２８から出力された煙検出信号が所定の火災レベルを超えると、ステップＳ２で火災検知の検出有りが検知されてステップＳ３に進み、メモリ２６を参照して警報音障害フラグ５６が記憶されている否か検知し、警報音障害フラグ５６の記憶が検知されない場合はステップＳ４に進み、報知部３０に制御を指示してそのスピーカ３６から音声メッセージやブザー音等により火災警報音を出力させると共にＬＥＤ２２を例えば点灯させる火災警報表示により火災警報を出力させる。
【００８４】
一方、ステップＳ３でメモリ２６の参照により警報音障害フラグの記憶が検知された場合は、ステップＳ５に進み、警報音代替処理による火災警報出力としてＬＥＤ２２に流す駆動電流を増加して例えば点灯させ、ＬＥＤ２２を強く光らせることにより例えば警報音が出ないことによる火災警報機能の低下を補う。
【００８５】
続いて、ステップＳ６でセンサ部２８からの煙検出信号が低下して火災検知状態が解消する火災復旧の有無が検知されており、火災復旧有りが検知されるとステップＳ７でスピーカ３６からの警報音とＬＥＤ２２の警報表示とによる火災警報を停止させる。なお、ＬＥＤ２２による火災警報表示は所定時間経過後に停止させても良い。
【００８６】
続いてステップＳ８で警報中における警報停止スイッチ２０の警報停止指示操作の有無が検知されており、スイッチ操作有りが検知されるとステップＳ９に進んでスピーカ３６からの火災警報音出力を停止させ、ＬＥＤ２２の点灯による火災警報表示を消灯させる。なお、ＬＥＤ２２は所定時間経過後に消灯させても良い。
【００８７】
続いて図４のステップＳ１０に進み、ローバッテリー障害の有無が検知されており、ローバッテリー障害有りが検知されるとステップＳ１１に進んでメモリ２６にローバッテリー障害フラグ５２をセットして更新記憶させると共に定期通報タイマ５８を起動させる。
【００８８】
続いてステップＳ１２でメモリ２６を参照して警報音障害検知により警報音障害フラグ５６の記憶の有無が検知されており、警報音障害フラグの記憶有りが検知されない場合（スピーカ３６が正常な場合）はステップＳ１３に進み、報知部３０のスピーカ３６から音声メッセージやブザー音等によるローバッテリー障害警報音とＬＥＤ２２を例えば点灯駆動する災警報表示により火災警報を出力させる。
【００８９】
一方、ステップＳ１２で警報音障害フラグの記憶有りが検知された場合は、ステップＳ１４に進み、警報音代替処理によるローバッテリー警報出力としてＬＥＤ２２に流す駆動電流を増加させて例えば点灯させ、ＬＥＤ２２を強く光らせることにより警報音が出ないことによる障害警報機能の低下を補う。
【００９０】
続いてステップＳ１５に進み、センサ障害の有無が検知されており、センサ障害有りが検知されると、ステップＳ１６に進んでメモリ２６にセンサ障害フラグ５４をセットして更新記憶させると共に定期通報タイマ５８を起動させる。
【００９１】
続いてステップＳ１７でメモリ２６を参照して警報音障害フラグ５６の記憶の有無が検知されており、警報音障害フラグの記憶有りが検知されない場合はステップＳ１８に進み、報知部３０のスピーカ３６から音声メッセージやブザー音等によるセンサ障害警報音とＬＥＤ２２を例えば点滅駆動する災警報表示により障害警報を出力させる。
【００９２】
一方、ステップＳ１７で警報音障害フラグの記憶有りが検知された場合は、ステップＳ１９に進み、警報音代替処理によるセンサ障害警報出力としてＬＥＤ２２に流す駆動電流を増加して例えば点灯させ、ＬＥＤ２２を強く光らせることにより警報音が出ないことによる障害警報機能の低下を補う。
【００９３】
続いてステップＳ２０に進み、警報音障害の有無が検知されており、警報音障害有りが検知されると、ステップＳ２１に進んでメモリ２６に警報音障害フラグ５６をセットして更新記憶させると共に定期通報タイマ５８を起動させた後、ステップＳ２２に進んでＬＥＤ２２の点滅のみによる障害警報表示を行わせる。
【００９４】
なお、警報音障害検知を示す障害警報は、スピーカ３６からの障害警報音を出せない障害が検知されているため、ＬＥＤ２２の例えば点滅のみによる障害表示となるが、警報音代替処理と同様、ＬＥＤ２２に流す駆動電流を増加して例えば点滅させ、ＬＥＤ２２を強く光らせることにより障害警報機能を強化しても良い。
【００９５】
続いて図５のステップＳ２３に進み、メモリ２６におけるローバッテリー障害フラグ５２、センサ障害フラグ５４又は警報音障害フラグ５６の記憶の有無が検知されており、いずれかの障害フラグの記憶有りが検知されるとステップＳ２４に進み、ステップＳ１１、Ｓ１６又はＳ２１で起動した定期鳴動タイマ６２が所定時間経過した定期鳴動タイミングか否が検知される。
【００９６】
ステップＳ２４で定期鳴動タイミングが検知されるとステップＳ２５に進み、メモリ２６を参照して警報音障害フラグ５６の記憶の有無が検知され、警報音障害フラグの記憶有りが検知されない場合はステップＳ２６に進み、報知部３０のスピーカ３６から音声メッセージやブザー音等によるローバッテリー障害又はセンサ障害の障害警報音を出力させると共にＬＥＤ２２を例えば点滅駆動する障害警報表示により障害警報を出力させる。
【００９７】
一方、ステップＳ２５で警報音障害フラグの記憶有りが検知された場合は、ステップＳ２７に進み、警報音代替処理によるセンサ障害警報出力としてＬＥＤ２２に流す駆動電流を増加して例えば点滅させ、ＬＥＤ２２を強く光らせることにより警報音が出ないことによる障害警報機能の低下を補う。
【００９８】
続いてステップＳ２８に進み、通常状態で点検スイッチとして機能する警報停止スイッチ２０による点検操作の有無が検知され、点検操作有りが検知されるとステップＳ２９に進み、メモリ２６を参照して警報音障害フラグ５６の記憶の有無を検知し、警報音障害フラグの記憶有りが検知されない場合はステップＳ３２に進み、報知部３０のスピーカ３６から音声メッセージやブザー音等によるローバッテリー障害又はセンサ障害の障害警報音を出力させると共にＬＥＤ２２を例えば点滅駆動させる障害警報表示により障害警報を出力させる。
【００９９】
一方、ステップＳ３１で警報音障害フラグの記憶有りが検知された場合は、ステップＳ３３に進み、警報音代替処理によるセンサ障害警報出力としてＬＥＤ２２に流す駆動電流を増加して例えば点滅させ、ＬＥＤ２２を強く光らせることにより警報音が出ないことによる障害警報機能の低下を補う。
【０１００】
図６はスタンドアローン型の住警器の他の実施形態を示したブロック図であり、本実施形態にあっては、報知部３０に複数のＬＥＤ２２−１〜２２−ｎを設けており、警報音代替処理として複数のＬＥＤ２２−１〜２２−ｎを駆動するようにしたことを特徴とする。
【０１０１】
ＬＥＤ２２−１〜２２−ｎとしては、例えば火災警報用ＬＥＤ２２−１、ローバッテリー障害用ＬＥＤ２２−２、センサ障害用ＬＥＤ２２−４、警報音障害用ＬＥＤ２２−４の４つが設けられ、表示色を異ならせても良い。警報処理部４０はイベント検知部３８により火災を検知してその旨を示す信号を受けた場合は火災警報用ＬＥＤ２２−１を点灯させ、ローバッテリー障害を検知してその旨を示す信号を受けた場合はローバッテリー障害用ＬＥＤ２２−２を点灯させ、センサ障害を検知してその旨を示す信号を受けた場合はセンサ障害用ＬＥＤ２２−３を点灯させ、警報音障害検知をしてその旨を示す信号を受けた場合は警報音障害用ＬＥＤ２２−４を点灯させる。また、警報処理部４０はイベント検知部３８で火災、ローバッテリー障害又はセンサ障害が検知された場合、それぞれの内容に対応した警報音をスピーカ３６から出力させる。
【０１０２】
一方、警報音代替処理部５０はイベント検知部３８で警報音障害が検知されてその胸を示す信号を受けている状態で、火災検知、ローバッテリー障害検知又はセンサ障害が検知されてその旨を示す信号を受けた場合、スピーカ３６から警報音が出せないことから、ＬＥＤ２２−１〜２２−４を同時に例えば点灯、点滅又は明滅させ、警報音が出なくとも利用者の注意を強く引き付けるようにし、警報音が出ないことによる警報機能の低下を補う。
【０１０３】
それ以外の構成及び機能は図２の実施形態と同じになることから、同一符号を付して説明を省略する。
【０１０４】
なお、ＬＥＤ２２−１〜２２−４の駆動方法としては、火災検知であればＬＥＤ２２−１は点滅、障害用のＬＥＤ２２−２〜２２−４は点灯とし、警報内容がわかるようにしても良い。また、報知部３０に色の異なる２つのＬＥＤ２２−１，２２−１を備え、ＬＥＤ２２−１を火災警報用、ＬＥＤ２２−２を障害警報用とし、警報音障害検知ではＬＥＤ２２−１，２２−２を同時駆動するようにしても良い。勿論、ＬＥＤ２２−１，２２−１は２色ＬＥＤであっても良い。
【０１０５】
図７は住宅に対する本発明による連動型の住警器を用いた監視システムの設置状態を示した説明図である。図７の例にあっては、住宅２５に設けられている居間、台所、子供部屋、主寝室、階段室のそれぞれの警戒エリアに火災を検知して警報する無線式の住警器（住宅用火災警報器）１００−１〜１００−６が設置されている。
【０１０６】
住警器１００−１〜１００−６の外観は、図１に示したスタンドアローン型の住警器１０と基本的に同じになる。以下、住警器１００−１〜１００−６をそれぞれ区別せず総称する場合は住警器１００という。
【０１０７】
住警器１００−１〜１００−６は、イベント信号を無線により相互に送受信する機能を備え、住宅各所の、それぞれ対応する監視領域について監視を行い、ここでは６台で住宅全体の火災監視を行っている。いま住宅２４２５の台所で万一、火災が発生したとすると、住警器１００−１で火災が検知されて警報を開始させる。
【０１０８】
住警器１００−１が発報するとき、住警器１００−１は連動元として機能し、連動先となる他の住警器１００−２〜１００−６に対し、火災を示すイベント信号（火災イベント信号）を無線により送信させる。他の住警器１００−２〜１００−６は、連動元の住警器１００−１からの火災発生を示すイベント信号を有効受信した場合に、警報音と警報表示により連動先としての警報動作を行わせる。
【０１０９】
ここで有効受信とは、受信したイベント信号に含まれるグループ符号がメモリに登録しているグループ符号に一致した場合に、このイベント信号を有効受信したことを検出する。また住警器１００−１〜１００−６から送信するイベント信号には、送信元の住警器を示す識別情報として例えば送信元符号が含まれている。なお、イベント信号を有効受信した住警器１００は必要に応じイベント信号の中継送信を行う。
【０１１０】
連動元となった住警器１００−１の警報動作としては、例えば「ピーピーピー  火火事です  火事です」といったスイープ音とメッセージによる所定パターンの連動元を示す火災警報音を出力させると共にＬＥＤ２２を例えば点灯させて連動元を示す警報表示を行わせる。
【０１１１】
一方、連動先の住警器１００−２〜１００−６にあっては、「ピーピーピー  別の警報器が作動しました」といったスイープ音とメッセージによる所定パターンの連動先を示す災警報音を出力させると共にＬＥＤ２２を例えば点滅して連動先を示す警報表示を行わせる。
【０１１２】
なお、例えば赤色ＬＥＤと黄色ＬＥＤを設け、連動元は赤色ＬＥＤを駆動させ、連動先は黄色ＬＥＤを駆動させるといった２色表示としても良い。もちろん、２つのＬＥＤを一体として、赤色と黄色の両方を発光可能な２色ＬＥＤが採用できる。
【０１１３】
住警器１００−１〜１００−６が警報音を出している状態で、警報停止スイッチが操作されると、警報音及び警報表示の停止処理が行われる。
【０１１４】
このとき例えば、連動元である住警器１００−１で警報停止操作が行われた場合には、全ての住警器１００−１〜１００−６の警報（警報音出力および／または警報表示出力）が停止され、連動先である住警器１００−２〜１００−６の何れかで警報停止操作が行われた場合には、連動元の住警器１００−１の警報は停止されず、連動先の住警器１００−２〜１００−６の警報を停止される。
【０１１５】
また住警器１００は電池電源から供給される電圧の低下からローバッテリー障害を検知する監視処理をビルドインテストとして所定周期毎にバックグラウンドで実行しており、ローバッテリー障害が検知された場合、連動元（障害元）を示すローバッテリー障害警報が出力されると共に、他の住警器にローバッテリー障害を示すイベント信号（ローバッテリー障害イベント信号）が送信され、連動先（障害先）を示すローバッテリー障害警報が出力される。
【０１１６】
連動元を示すローバッテリー障害警報は、住警器１００のスピーカから例えば「ピッ  電池切れです」を複数回連続出力させると共にＬＥＤを例えば点灯させ、その後は、定期通報タイマにより所定時間毎に「ピッ  電池切れです」の音声出力とＬＥＤによる表示を複数回行う処理を繰り返させる。また連動先を示すローバッテリー障害警報は、住警器１００のスピーカから例えば「ピッ  別の警報器が電池切れです」を複数回連続出力させると共にＬＥＤを例えば点滅させる。
【０１１７】
また住警器１００は通常状態で点検スイッチとして機能する警報停止スイッチが操作された場合、ビルドインテストとしてバックグランドで実行される監視処理によりローバッテリー障害を検知している場合には、ローバッテリー障害警報として例えば「ピッ  電池切れです」を複数回連続出力させると共にＬＥＤを例えば点灯させ、更に他の住警器にローバッテリー障害を示すイベント信号（ローバッテリー障害イベント信号）を送信させ、連動先（障害先）を示すローバッテリー障害警報として例えば「ピッ  別の警報器が電池切れです」を複数回連続出力させると共にＬＥＤを例えば点滅させる。一方、ローバッテリー障害が検知されていない正常時には、スピーカ動作を点検するために火災警報音「ウーウー  火災警報器が作動しました  確認してください」を低い音量で１回出力させる。
【０１１８】
また住警器１００はセンサ障害を判別する監視処理をビルドインテストとして所定周期毎にバックグラウンドで実行させており、センサ障害が検知された場合、連動元（障害元）を示すセンサ障害警報を出力させると共に、他の住警器にセンサ障害を示すイベント信号（センサ障害イベント信号）を送信させ、連動先（障害先）を示すセンサ障害警報を出力させる。住警器１００で検知するセンサ障害には、センサや検出回路、汚損等による感度異状などが含まれている。
【０１１９】
また住警器１００は通常状態で点検スイッチとして機能する警報停止スイッチが操作された場合、ビルドインテストとしてバックグランドで実行されている監視処理によりセンサ障害を検知している場合には、スピーカから連動元（障害元）を示す障害警報音として例えば「ピッ  故障です」を複数回連続出力させると共に、ＬＥＤを例えば点灯させ、その後は定期通報タイマにより所定時間毎に「ピッ  故障です」の音声出力とＬＥＤの点灯による表示を複数回繰り返させる。
【０１２０】
また住警器１００はセンサ障害が検知された場合、センサ障害を示すイベント信号（センサ障害イベント信号）を他の住警器に送信させることで、例えば「ピッ  別の警報器が故障です」といった警報音を出力させると共に連動元とは異なる表示、例えば点滅を行わせる。
【０１２１】
また住警器１００は通常状態で点検スイッチとして機能する警報停止スイッチの操作が検知された場合、ビルドインテストとしてバックグランドで実行されている監視処理によりセンサ障害を検知している場合には、センサ障害警報として例えば「ピッ  電池切れです」を複数回連続出力させると共にＬＥＤを例えば点灯させ、更に他の住警器にセンサ障害を示すイベント信号（センサ障害イベント信号）を送信させ、連動先（障害先）を示すセンサ障害警報として例えば「ピッ  別の警報器が故障です」を複数回連続出力させると共にＬＥＤを例えば点滅させる。
【０１２２】
一方、センサ障害が検知されていない正常時には、スピーカ動作を点検するために連動元を示す火災警報音「ウーウー  火事です  火事です」を低い音量で１回出力させると共にＬＥＤを例えば点灯させる。
【０１２３】
図８は本発明による無線連動型となる住警器の実施形態を示したブロック図である。これは一例であり、各機能の分離、統合は任意に行うことができる。また各機能のそれぞれの一部または全部は、ソフトウェア（プログラム）によって実行されるものであっても、ハードウェアによって実行されるものであっても良い。
【０１２４】
また図８において、住警器は台所に設置した住警器１００−１について示しているが、他の住警器１００−２〜１００−６についても同様の構成となる。
【０１２５】
住警器１００−１はワンチップＣＰＵとして知られたプロセッサ１２８を備え、プロセッサ１２８に対してはアンテナ１３１を備えた無線通信部１３０、メモリ１３２、センサ部１３４、報知部１３６、操作部１３８及び電池電源１４０を設けている。
【０１２６】
無線通信部１３０には送信回路１４２と受信回路１４４が設けられ、他の住警器１００−２〜１００−６との間でイベント信号を無線により送受信できるようにしている。無線通信部１３０としては、日本国内の場合には、例えば４００ＭＨｚ帯の特定小電力無線局の標準規格として知られたＳＴＤ−３０（小電力セキュリティシステム無線局の無線設備標準規格）またはＳＴＤ−Ｔ６７（特定小電力無線局テレメータ用、テレコントロール用及びデータ伝送用無線設備の標準規格）に準拠した構成を備える。もちろん無線通信部１３０としては、日本国内以外で使用する場合は、その地域の割当無線局の標準規格に準拠した内容を持つことになる。
【０１２７】
なお、アンテナ１３１及び送信回路１４２を併せて請求項の送信部に対応し、アンテナ１３１及び受信回路１４４を併せて請求項の送信部に対応する。また、アンテナ１３１及び受信回路１４４を介して受信した信号はプロセッサ１２８に設けたイベント検知部１５８で解読される。以下、この解読までを含めて受信と呼ぶことがある。また特に、解読の結果有効な信号と判定されることを区別して表す場合には有効受信と呼ぶ。
【０１２８】
メモリ１３２には、イベント信号の順番を示す連続番号である連番１４８、各住警器を特定する住警器識別情報となる送信元符号１５０、図７のように住宅に設置した住警器１００−１〜１００−６で連動警報を行う連動グループを構成するためのグループ符号１５２が格納されている。
【０１２９】
連番１４８はイベント信号を送信する毎に、所定のルールに則って自動生成、更新される（例えばインクリメントされる）符号であり、警報器間の、特に無線通信に於いてイベント信号の中継処理等を管理するためのものであるが、本発明に直接関係しないので詳細な説明を省略する。
【０１３０】
送信元符号１５０としては、国内に提供される住警器の何れとも同一符号として重複しないように、例えば２６ビットの多ビット符号コードとし、例えば住警器シリアル番号等を利用している。
【０１３１】
連番１４８や送信元符号１５０を利用して再中継を許可したり禁止したりすることができ、不要な通信を避ける処理を行うことで、必要に応じた最適な中継を行うことができる。また例えば、連動先端末で中継送信されるイベント信号には、当該連動先端末の送信元符号に加えて連動元端末の送信元符号を付加するようにして、この連動元端末送信元符号から再送信の可否を判定して処理するようにすることもできる。また、中継送信の許可および禁止はこれに加え、イベント信号が示すイベントの内容毎に設定することもできる。
【０１３２】
グループ符号１５２は連動グループを構成する複数の住警器に共通に設定される符号であり、無線通信部１３０で受信したイベント信号に含まれるグループ符号がメモリ１３２に登録しているグループ符号１５２に一致したときに、このイベント信号を有効な信号として処理することになるので、近隣の住宅等に設置された、連動を要しない他のグループに属する住警器との不要な連動を回避できる。
【０１３３】
グループ符号１５２は各住警器について必ずしも同一の符号である必要は無く、これを元に演算等を行うことによって自己が属するグループと他の住警器が属するグループが同じか否かを判定できるものであれば良い。グループ符号１５２の登録は、出荷前や運用開始前に、外部スイッチの設定や通信機能を使った自動登録等、適宜の方法で行う。
【０１３４】
またメモリ１３２には定期的な自動点検による監視機能による障害検知結果として、ローバッテリー障害フラグ１７６またはセンサ障害フラグ１７８が各障害を検知した場合に記憶される。またローバッテリー障害やセンサ障害を検知した後の定期的な障害警報の出力にしようされる定期通報タイマ１８２が設けられる。なお、定期通報タイマ１８２はメモリ１３２に配置せず、プロセッサ１２８で実行されるプログラム上に配置しても良い。
【０１３５】
更に本実施形態にあっては、定期的な障害監視処理（自動点検）による障害検知結果として警報音障害フラグ１８０が記憶され、警報音障害フラグ１８０は報知部１３６に設けたスピーカ１５６の警報音出力性能の低下又は喪失状態を示すスピーカ系統の障害となる警報音障害を示す。
【０１３６】
センサ部１３４には、例えば煙を検出して煙濃度に応じた検出信号を出力する検煙部１１６を設けている。前述のように、センサ部１３４には検煙部１１６に代えて、火災による温度を検出して検出信号を出力する素子やセンサ、火災に伴うその他の物理現象変化を検出して検出信号を出力する各種素子やセンサを設けても良い。
【０１３７】
報知部１３６には警報音等を出力する音響出力器であるスピーカ１５６と警報表示等を行うＬＥＤ１２２が設けられている。スピーカ１５６は、図示しない音声合成回路部から、自己が保持している各種の音声メッセージや警報音等を、図示しない増幅部を介して出力させる。ＬＥＤ１２２は火災、障害などの情報を点灯、点滅又は明滅により表示させる。またＬＥＤ１２２に代え、２色ＬＥＤや液晶表示器等を設けても良い。もちろん、ＬＥＤと液晶表示器を併設するなどしても良い。
【０１３８】
操作部１３８には警報停止スイッチ１２０が設けられている。警報停止スイッチ１２０は、報知部１３６からスピーカ１５６により火災や障害の警報音を出力している場合又はＬＥＤ１２２により警報表示を行っている場合にのみ警報停止スイッチとして機能する。
【０１３９】
例えば連動元を示す警報中に警報停止スイッチ１２０が操作されると、警報音及び警報表示は停止され、連動先を示す警報中に警報停止スイッチ１２０が操作されると、警報音及び警報表示は停止され、一方、連動先を示す警報中に警報停止スイッチ１２０が操作されると、警報音は停止され、警報表示は停止または警報音停止から所定時間後に停止されるといった警報停止処理が行われる。
【０１４０】
一方、連動元または連動先を示す火災警報または障害警報を行っていない通常状態においては、警報停止スイッチ１２０は点検スイッチとして機能し、この状態で警報停止スイッチ１２０が操作されると点検操作が検出され、メモリ１３２にローバッテリー障害フラグ１７６またはセンサ障害フラグ１７８が記憶されているか否か検知し、障害フラグが記憶されていれば報知部１３６のスピーカ１５６から対応する障害内容を示す音声メッセージなどの障害警報が出力させる。
【０１４１】
またメモリ１３２に障害フラグが記憶されていない場合には、点検結果は正常であることから、スピーカ５６を点検するための火災警報音と同じスピーカ点検用警報音を低い音量で１回出力させると共にＬＥＤ１２２を点灯させる。
【０１４２】
なお、点検はビルドインテストしてバックグラウンドで自動実行とせずに、通常状態で警報停止スイッチ１２０の操作が検知された場合（点検が指示された場合）に、バッテリー障害検知及びセンサ障害検知を含む所定の点検動作を実施して結果を報知させるようにしても良い。
【０１４３】
また、障害警報中に警報停止スイッチ１２０の操作が検知された場合には、バッテリー障害及びセンサ障害を含む所定の点検動作を実施させて結果を報知させた後に障害警報停止処理を行わせるようにしても良い。このようにすれば、例えばセンサ故障等を再チェックさせた後に障害警報停止処理が行われるので、ユーザに対し、故障状態をより明確に認知させることができる。そして、このとき障害状態が解消（障害復旧）されている場合には、例えば「障害は解消しました」等のメッセージを出力させて、障害停止（復旧）処理に移行させても良い。
【０１４４】
電池電源１４０は、例えば所定セル数のリチウム電池やアルカリ乾電池を使用しており、電池容量としては住警器１００−１における無線通信部１３０を含む回路部全体の低消費電力化により、例えば１０年の電池寿命を保証している。
【０１４５】
プロセッサ１２８にはプログラムの実行により実現される機能として、イベント検知部１５８、警報処理部１６４及び警報音代替処理部１７４の機能が設けられている。
【０１４６】
イベント検知部１５８は、センサ部１３４の検出信号出力から検知した火災の有無、操作部１３８による警報停止指示入力の有無や点検指示入力の有無、センサ部１３４の検出信号出力が低下して火災検知状態が解消される火災復旧、センサ障害やローバッテリー障害、警報音出力の性能低下や喪失状態を示す警報音障害等のイベントを検出する。
【０１４７】
またイベント検知部１５８は、アンテナ１３１及び受信回路１４４を介して他の住警器１００−２〜１００−６から受信されたイベント信号を受け、これを解読してイベント信号有効受信の有無およびそのイベント内容を検知する。またイベント検知部１５８は、他の住警器から有効に受信したイベント信号を、必要に応じて中継送信させる。
【０１４８】
警報処理部１６４は、イベント検知部１５８で自己の異状として火災を検知した場合にその旨を示す信号を受け、報知部１３６に制御を指示し、そのスピーカ１５６からスイープ音とメッセージからなる所定パターンの連動元を示す警報音を出力させると共に、ＬＥＤ１２２を点灯させて連動元を示す警報表示を行わせ、更に、火災を示すイベント信号を他の住警器１００−２〜１００−６に送信させる。
【０１４９】
具体的に説明すると、警報処理部１６４は、イベント検知部１５８でセンサ部１３４に設けた検煙部１１６の煙検出信号に基づきイ火災が検知されてその旨を示す信号を受けた場合に、これに基づき報知部１３６に制御を指示してスピーカ１５６から連動元を示す警報音例えば「ウーウー  火事です  火事です」の音声メッセージを繰り返し出力させる制御を行うと共に、ＬＥＤ１２２を点灯させて連動元を示す警報表示制御を行わせ、更に、火災を示すイベント信号を生成し、送信回路１４２及びアンテナ１３１を介して他の住警器１００−２〜１００−６に向けて送信させる。
【０１５０】
また警報処理部１６４は、無線通信部１３０の受信回路１４４により他の住警器１００−２〜１００−６の何れかから火災イベント信号を有効受信したことがイベント検知部１５８で検知されてその旨を示す信号を受けた場合に、報知部１３６に制御を指示してそのスピーカ１５６からスイープ音とメッセージからなる所定パターンの連動先を示す警報音（報知音）例えば「ピーピーピー  別の火災警報器が作動しました」を繰り返し出力させると共に、警報表示制御部１６８によりＬＥＤ１２２を点滅させて連動先を示す警報表示を行わせる。
【０１５１】
また警報処理部１６４は、イベント検知部１５８により連動元を示す火災警報音または連動先を示す火災警報音の出力中に警報停止スイッチ１２０の操作が検出された場合、又は他の住警器１００−２〜１００−６の何れかからの警報停止を示すイベント信号又は装置イベント信号受信が検知された場合、その旨を示す信号を受けて報知部１３６に制御を指示し、そのスピーカ１５６からの音声メッセージとＬＥＤ１２２の警報表示による火災警報の出力を停止させる。この場合、ＬＥＤ１２２による警報表示については、所定時間継続した後に停止させても良い。なお、連動元を示す火災警報中には、警報停止を示すイベント信号や装置イベント信号受信があっても、少なくとも警報音の出力は継続させるようにしても良い。
【０１５２】
またイベント検知部１５８には、ローバッテリー障害、センサ障害及び警報音障害の検知機能が設けられている。
【０１５３】
イベント検知部１５８によるローバッテリー障害の検知は、所定の測定時間間隔、例えばＴ１１＝４時間間隔で図示しない電圧検出回路を介して直接的又は間接的に、電池電源１４０から供給される電源電圧をＡ／Ｄ変換により読み込んで所定の閾値電圧と比較し、この閾値電圧以下の時にローバッテリー障害の検出を予備判定し、更にローバッテリー障害検出の仮判定が連続して所定回数続いたときにローバッテリー障害と検知（確定）し、ローバッテリー障害フラグ１７６をセットしてメモリ１３２に更新記憶させる。
【０１５４】
イベント検知部１５８によるセンサ障害の検知は、所定の測定時間間隔、例えばＴ１２＝１秒間隔でセンサ部１３４の検煙部１１６から出力される煙検出信号をＡ／Ｄ変換により読み込んでメモリ１３２のバッファ領域に保持し、例えば所定の時間間隔Ｔ１３＝１００分毎に、メモリ１３２のバッファ領域に保持している１００分間ぶんの検出データの平均値を求め、この平均値が所定の基準レベル（零点レベルという）を下回った時に出力停止状態である等としてセンサ部１３４の障害を検知し、センサ障害フラグ１７８をセットしてメモリ１３２に更新記憶させる。
【０１５５】
このように煙濃度検出信号の１００分間平均値が零点レベルを下回る原因は、検煙部１１６に設けている受光素子故障や受光素子からの出力信号線断線、受光アンプの停止などの障害が発生したことによるものである可能性が高いためセンサ障害とする。
【０１５６】
なお、センサ部１３４にサーミスタなどの温度検出素子を設けた場合にも、各種の処理により、同様にセンサ障害を検出することができる。その他、他の回路故障、通信異状等を同様に障害監視することができる。このような障害についても、検出後はセンサ障害と同様の処理を行ことから、本実施形態にあってはセンサ障害と総称している。
【０１５７】
イベント検知部１５８による警報音障害の検知は、所定の測定時間間隔、例えばローバッテリー障害検知と同じＴ１１＝４時間間隔でスピーカ１５６を含む図示しない音声出力系統を試験して障害の有無を検知する。音声出力系統の試験としては、例えばスピーカ１５６に対し音が出ないＤＣ試験信号を出力し、スピーカ駆動電流の検出電圧をＡ／Ｄ変換により読み込んで所定の閾値電圧と比較し、この閾値電圧以下の時にスピーカ出力線断線による警報音障害検出を予備判定（仮判定）し、更に警報音障害検出の予備判定（仮判定）が連続して所定回数続いたときに警報音障害と検知（確定）し、警報音障害フラグ１８０をセットしてメモリ１３２に更新記憶させる。
【０１５８】
またイベント検知部１５８は、スピーカ断線等による警報音出力性能喪失状態だけでなく、スピーカ線を流れる電流（振幅や平均）が所定範囲にないインピーダンス異常や駆動回路故障などの警報音出力性能の低下についても、例えばスピーカ出力線の断線判定に用いる閾値電圧より高い別の閾値電圧を設定し、それより低い場合に、警報音出力性能の低カを判定して警報音障害フラグ１８０をセットしてメモリ１３２に更新記憶させる。
【０１５９】
このように本実施形態におけるローバッテリー障害検知部１６８、センサ障害検知部１７０及び警報音障害検知部１７２の監視処理（自動点検）はビルドインステップとして所定周期毎にバックグラウンドで実行されている。
【０１６０】
なお、障害検知はバックグラウンドで行わずに、通常状態で警報停止スイッチ１２０の操作が検知された場合（点検の指示が検知された場合）に、バッテリー障害検知、センサ障害検知及び警報音障害検知を含む所定の障害検知動作（点検動作）を実施して結果を報知させるようにしても良い。
【０１６１】
また、障害警報中に警報停止スイッチ１２０の操作が検知された場合には、バッテリー障害検知、センサ障害検知及び警報音障害検知を含む障害検知動作（点検動作）を再度実施して結果を報知させた後に障害警報停止処理を行わせるようにしても良い。このようにすれば、例えばセンサ故障等を再チェックした後に障害警報停止処理が行われるので、ユーザに対し、故障状態をより明確に認知させることができる。
【０１６２】
警報処理部１６４は、イベント検知部１５８でローバッテリー障害が検知されてその旨を示す信号を受けた場合、報知部１３６に制御を指示してそのスピーカ１５６から連動元（障害元）を示すローバッテリー障害の警報音としてたとえば「ピッ  電池切れです」を複数回連続出力させると共に、ＬＥＤ１２２を例えば点灯させる。その後は、メモリ１３２の定期通報タイマ１８２を起動させ、メモリ１３２に記憶しているローバッテリー障害フラグに基づき所定時間毎に「ピッ  電池切れです」の音声出力とＬＥＤ１２２の点滅などによる表示を複数回行う処理を繰り返させる。
【０１６３】
また警報処理部１６４は、イベント検知部１５８でローバッテリー障害が検知されてその旨を示す信号を受けた場合、ローバッテリー障害イベント信号を生成し、送信回路１４２及びアンテナコ１３１を介して他の住警器１００−２〜１００−６に送信させることで、連動先を示すローバッテリー障害警報を警報音として「ピッ  別の警報器が電池切れです」を出力させると共に連動元とは異なる点滅表示を行わせる。
【０１６４】
また警報処理部１６４は、イベント検知部１５８でセンサ障害検知部１７０によるセンサ障害を検知してその旨を示す信号を受けた場合、報知部１３６に制御を指示してそのスピーカ１５６から連動元（障害元）を示すセンサ障害の警報音として例えば「ピッ  故障です」を複数回連続出力させると共に、ＬＥＤ１２２を例えば点灯させる。その後はメモリ１３２の定期通報タイマ１８２を起動させ、メモリ１３２に記憶されたセンサ障害フラグ１７８に基づき所定時間毎に「ピッ  故障です」の音声出力とＬＥＤ１２２による表示を複数回行う処理を繰り返させる。同時に警報処理部１６４は、センサ障害イベント信号を生成して他の住警器１００−２〜１００−６に送信させることで、連動先を示すローバッテリー障害警報を警報音として「ピッ  別の警報器が電池切れです」を出力させると共に連動元とは異なる点滅表示を行わせる。
【０１６５】
また警報処理部１６４は、イベント検知部１５８により通常状態で点検スイッチとして機能する警報停止スイッチ１２０の操作による点検指示操作（点検指示入力）が検知されてその旨を示す信号を受け、更に、メモリ１３２にローバッテリー障害フラグ１７６が記憶されていることを検知した場合には、報知部１３６に制御を指示してそのスピーカ１５６から例えば「ピッ  電池切れです」を複数回連続出力させると共に、ＬＥＤ１２２を例えば点灯させ、更に、ローバッテリー障害イベント信号を生成して、送信回路１４２及びアンテナ１３１を介して他の住警器１００−２〜１００−６に送信させることで、連動先を示すローバッテリー障害警報を警報音として「ピッ  別の警報器が電池切れです」」を出力させると共に連動元とは異なる点滅表示を行わせる。
【０１６６】
また警報処理部１６４は、イベント検知部１５８により警報停止スイッチ１２０の操作による点検指示操作（点検指示入力）が検知されてその旨を示す信号を受け、更にメモリ１３２にセンサ障害フラグ１７８が記憶されていることを検知した場合には、報知部１３６に制御を指示してそのスピーカ１５６から例えば「ピッ  故障です」を複数回連続出力させると共に、ＬＥＤ１２２を例えば点灯させ、更にセンサ障害イベント信号を生成させて、送信回路１４２及びアンテナ１３１を介して他の住警器１００−２〜１００−６に送信させることで、連動先を示すローバッテリー障害警報を警報音として「ピッ  別の警報器が電池切れです」を出力させると共に、連動元とは異なる点滅表示を行わせる。
【０１６７】
このように点検のために警報停止スイッチ１２０を操作した場合には、住警器の前に必ず人がいることから、ローバッテリー障害やセンサ障害を確実に知らせることができる。
【０１６８】
また警報処理部１６４は、イベント検知部１５８により警報停止スイッチ１２０の操作による点検指示操作（点検指示入力）が検知されてその旨を示す信号を受け、更にメモリ１３２に警報音障害フラグ１８０が記憶されていることを検知した場合には、スピーカ１５６からは音がでないことから、ＬＥＤ１２２を例えば点灯させ、警報音障害イベント信号を生成させ、送信回路１４２及びアンテナ１３１を介して他の住警器１００−２〜１００−６に送信させることで、連動先を示すローバッテリー障害警報を警報音として「ピッ  別の警報器が電池切れです」を出力させると共に、連動元とは異なる点滅表示を行わせる。このためスピーカ１５６から音の出ない警報音障害については連動先の住警器１００−２〜１００−６の警報音からその内容を知ることができる。
【０１６９】
また警報処理部１６４は、イベント検知部１５８で通常状態で点検スイッチとして機能する警報停止スイッチ１２０の操作による点検指示操作（点検指示入力）が検知されてその旨を示す信号を受けた場合、メモリ１３２にローバッテリー障害フラグ１７６、センサ障害フラグ１７８及び警報音障害フラグ１８０が記憶されていない場合は正常と判断し、この場合には、報知部１３６に制御指示してそのスピーカ１５６から正常に警報音が出力されることを確認するスピーカ点検のため、火災警報音と同じ内容をもつスピーカ点検用警報音として「ウー  ウー  火災警報器が作動しました  確認してください」を低い音量で１回出力させると共に、ＬＥＤ１２２を点灯して点検表示を行う。
【０１７０】
なお、警報処理部１６４は、イベント検知部１５８により通常状態で点検スイッチとして機能する警報停止スイッチ１２０の操作による点検指示操作（点検指示入力）が検知された場合、障害検知部１６６にローバッテリー障害及びセンサ障害の検知処理（自動点検）を再度実行させ、障害を検知すれば障害警報を出力させ、正常を検知すればスピーカ点検用の警報音を出力させると共に警報表示を行わせるようにしても良い。これにより、最新の点検結果を報知することができる。
【０１７１】
警報音代替処理部１７４は、イベント検知部１５８によりスピーカ１５６から音の出なくなる異状をはじめとする警報音障害を検知した状態で警報する場合、本実施形態にあっては、
（１）ＬＥＤ１２２の駆動電流の増加
（２）複数のＬＥＤの同時駆動
（３）他の住警器に送信するイベント信号の送信電力の増加
（４）他の住警器に送信するイベント信号の送信頻度の増加
に対応可能である。
【０１７２】
（１）のＬＥＤ駆動電流の増加はＬＥＤからの光を強くすることで警報音が出ない場合の警報を代替する。（２）の複数ＬＥＤの同時駆動は図６のように報知部に複数のＬＥＤを設けた場合に対応できる。（３）の送信電力の増加は、火災や障害を示すイベント信号の受信により他の住警器で連動警報が確実に行われることで代替する。（４）の送信頻度の増加は、イベント検出時に所定回数送信するイベント信号の送信間隔を短くして他の住警器による連動警報を迅速化して代替する。なお、以下の説明では（１）のＬＥＤ駆動電流増加を例にとって説明する。
【０１７３】
警報音代替処理部１７４は、イベント検知部１５８によりスピーカ１５６から例えば音の出ない警報音障害が検知されてメモリ１３２に警報音障害フラグ１８０が記憶された状態で、イベント検知部１５８により火災を検出してその旨を示す信号を受けた場合、警報処理部１６４により報知部１３６に制御を指示してスピーカ１３６から火災警報音を出力させようとしても音がでないことから、それに代えてＬＥＤ１２２に流す駆動電流を増加させて輝度を高め、火災警報音が出ない状況であってもＬＥＤ１２２からの光を強くして点灯することで、より確実に利用者に連動元を示す火災警報を伝えるようにする。
【０１７４】
また警報音代替処理部１７４は、イベント検知部１５８によりスピーカ１５６から例えば音の出ない警報音障害が検知されてメモリ１３２に警報音障害フラグ１８０が記憶された状態で、イベント検知部１５８により他の住警器から火災を示すイベント信号の有効受信を検出してその旨を示す信号を受けた場合、警報処理部１６４により報知部１３６に制御を指示して火災警報音を出力させようとしても音がでないことから、それに代えてＬＥＤ１２２に流す駆動電流を増加させて輝度を高め、火災警報音が出ない状況であってもＬＥＤ１２２からの光を強くして点滅させることで、より確実に利用者に連動先を示す火災警報を伝えるようにする。
【０１７５】
ここで、警報音障害に対する代替処理によりＬＥＤ１２２に流す駆動電流の増加分は、スピーカ１５６に流す警報音出力のための設定平均駆動電流を超えない範囲とし、スピーカ１５６が正常に機能している場合と同等またはそれ以下となるような電池電源１４０の消耗度合とする。
【０１７６】
また警報音代替処理部１７４は、イベント検知部１５８によりスピーカ１５６から例えば音のでない警報音障害が検知されてメモリ１３２に警報音障害フラグ１８０が記憶された状態で、イベント検知部１５８でローバッテリー障害検知またはセンサ障害検知が検知されてその旨を示す信号を受けた場合、警報処理部１６４から報知部１３６に制御を指示して障害警報音を出力しようとしても音がでないことから、それに代えてＬＥＤ１２２に流す駆動電流を増加させて輝度を高め、スピーカ１５６から障害警報音が出ない状況であってもＬＥＤ１２２からの光を強くして点灯することで、より確実に利用者に障害警報を伝えるようにする。
【０１７７】
この場合にも、警報音障害に対する代替処理によりＬＥＤ１２２に流す駆動電流の増加分は、スピーカ１５６に流す警報音出力のための設定平均駆動電流を超えない範囲とし、スピーカ１５６が正常に機能している場合と同等またはそれ以下となるような電池電源１４０の消耗度合とする。
【０１７８】
図９は本実施形態で連動警報に使用するイベント信号のフォーマットを概略的に示した説明図である。図９において、イベント信号１４６は連番１４８、送信元符号１５０、グループ符号１５２及びイベント符号１５４で構成されている。
【０１７９】
連番１４８はイベント信号の順番を示す連続番号であり、端末（住警器）それぞれにイベント信号を送信する毎に１つずつ増加させる。また、連番１４８は住警器の各々で非同期に生成している。連番１４８は住警器１００間の、主に無線通信に於いてイベント信号の中継処理等を管理するためのものであるが、本発明に直接関係しないので詳細な説明を省略する。
【０１８０】
送信元符号１５０は住警器識別情報として用いられる例えば２６ビットの符号であり、例えば住警器のシリアル番号等を利用している。グループ符号１５２は例えば８ビットの符号であり、同一グループを構成する例えば図６の住警器１００−１〜１００−６につき例えば同じグループ符号が設定されている。
【０１８１】
なおグループ符号１５２としては、同一グループの住警器に同一のグループ符号を設定する以外に、例えば予め定めたグループを構成する住警器に共通な基準符号と各住警器に固有な送信元符号との演算から求めた住警器ごとに異なるグループ符号であってもよい。すなわち、イベント信号を受信した各端末（住警器）がそれをもとに自己と同一グループの端末からの信号であるか否かを判定できるものであれば、どのような符号であっても良い。
【０１８２】
イベント符号１５４は、火災、ガス漏れ（例えばガス漏れ警報器やガス漏れ検出機能を併せ持つ住警器等の場合）などのイベント内容を表す符号であり、本実施形態にあっては４ビット符号を使用しており、例えば
０００１＝火災
００１０＝ガス漏れ
００１１＝警報停止（火災警報停止、ガス漏れ警報停止、障害警報停止）
０１００＝復旧（火災復旧、ガス漏れ復旧、障害復旧）
０１０１＝センサ障害
０１１０＝ローバッテリー障害
０１１１＝警報音障害
としている。ここで、００００はイベント検出を伴わない、例えば定期通報に使用する。
【０１８３】
なおイベント符号４２のビット数は５ビット、６ビットと増加させることで、更に多くのイベント内容を表すことができる。例えば、復旧のイベント符号は火災復旧，ガス漏れ復旧、障害復旧に分けても良い。
【０１８４】
また、火災以外の異状を検知する警報器では、上記の０００１を検出対象となる異状イベントに置き換えても良いし、検出対象となる異状イベントの種類を、例えば上記に追加しても良い。このようにして、例えば同じグループ内に、検出対象とする異状種別の異なる警報器を混在させることもできる。
【０１８５】
図１０乃至図１３は図８の住警器１００−１における監視処理の例を示したフローチャートである。図１０において、住警器１００−１の電池電源１４０による電源供給が開始されると、ステップＳ４１で初期化、自己診断、禁止モードの設定の有無を含む各種設定の読み込みを実行し、異状がなければステップＳ４２に進み、火災の有無を検知している。
【０１８６】
センサ部１３４から出力された煙検出信号が所定の火災レベルを超えると火災が検知され、ステップＳ４２で火災有りが検知されてステップＳ４３に進み、連番、火災を検知している住警器を特定する送信元符号、グループ符号、火災を示すイベント符号を含むイベント信号を生成して他の住警器に無線送信させる。
【０１８７】
続いてステップＳ４４でメモリ１３２を参照して警報音障害フラグ１８０の記憶の有無が検知され、警報音障害フラグ１８０の記憶検出有りが検知されない場合はステップＳ４５に進み、報知部１３６のスピーカ１５６から火災警報音とＬＥＤ１２２の点灯により連動元を示す火災警報を出力させる。
【０１８８】
一方、ステップＳ４４で警報音障害フラグ１８０の記憶検出有りが検知された場合は、ステップＳ４６に進み、警報音代替処理による火災警報出力としてＬＥＤ１２２に流す駆動電流を増加して点灯させ、ＬＥＤ１２２を強く光らせることにより警報音が出ないことによる連動元を示す火災警報機能の低下を補う。
【０１８９】
続いて、ステップＳ４７でセンサ部１３４からの煙検出信号が低下して火災検知状態が解消する火災復旧の有無が検知されており、火災復旧が検知されるとステップＳ４８で連番、送信元符号、グループ符号、火災復旧を示すイベント符号を含むイベント信号を他の住警器に送信させた後、ステップＳ４９でスピーカ１５６からの警報音とＬＥＤ１２２の点滅により連動元を示す火災警報を停止させる。なお、ＬＥＤ１２２による警報表示は所定時間経過後に消灯しても良い。
【０１９０】
続いてステップＳ５０で警報中における警報停止スイッチ１２０の警報停止指示操作の有無が検知されており、スイッチ操作が検知されるとステップＳ５１に進んで連番、送信元符号、グループ符号、警報停止を示すイベント符号を含むイベント信号が生成されて他の住警器に送信され、ステップＳ５２に進んでスピーカ１５６からの連動元を示す警報音出力が停止され、ＬＥＤ１２２の警報表示を停止させる。なお、ＬＥＤ１２２は所定時間経過後に停止させても良い。
【０１９１】
続いて図１１のステップＳ５３に進み、他の住警器から送信または中継送信された火災を示すイベント信号の有効受信の有無が検知されている。他の住警器からの火災を示すイベント信号の有効受信検出有りが検知されるとステップＳ５４に進み、メモリ１３２を参照して警報音障害フラグ１８０の記憶の有無が検知され、警報音障害フラグ１８０の記憶検出有りが検知されない場合はステップＳ５５に進み、報知部１３６のスピーカ１５６から火災警報音とＬＥＤ１２２の点滅により連動先を示す火災警報を出力させる。
【０１９２】
一方、ステップＳ５４で警報音障害フラグ１８０の記憶検出有りが検知された場合は、ステップＳ５６に進み、警報音代替処理による火災警報出力としてＬＥＤ１２２に流す駆動電流を増加して点滅させ、ＬＥＤ１２２を強く光らせることにより警報音が出ないことによる連動先を示す火災警報機能の低下を補う。
【０１９３】
なお、他の住警器からローバッテリー障害、センサ障害又は警報音障害を示すイベント信号が受信された場合の処理は省略しているが、ステップＳ５３〜Ｓ５６に示した火災を示すイベント信号が受信された場合と基本的に同じになる。
【０１９４】
次にステップＳ５７で他の住警器から送信または中継送信された火災復旧を示すイベント信号の有効受信の有無が検知されており、火災復旧を示すイベント信号の有効受信有りが検知されると、ステップＳ５８に進んで連動先の警報として行っているスピーカ１５６からの警報音出力とＬＥＤ１２２による警報表示を停止させる。
【０１９５】
次にステップＳ５９で他の住警器から送信または中継送信された警報停止を示すイベント信号の有効受信の有無が検知されて、警報停止を示すイベント信号の有効受信有りが検知されると、ステップＳ６０に進んで警報中の有無が検知され、警報中が検知されるとステップＳ６１に進んで連動先としての警報音出力を停止させ、警報表示も停止させる。
【０１９６】
続いて図１２のステップＳ６２に進み、ローバッテリー障害の有無が検知されており、ローバッテリー障害有りが検知されるとステップＳ６３に進んでメモリ１３２にローバッテリー障害フラグ１７６をセットして記憶させると共に定期通報タイマ１８２を起動させる。
【０１９７】
続いてステップＳ６４に進み、メモリ１３２を参照して警報音障害フラグ１８０の記憶の有無が検知されており、警報音障害フラグ１８０の記憶有りが検知されない場合はステップＳ６５に進み、報知部１３６のスピーカ１５６からローバッテリー障害警報音とＬＥＤ１２２の点灯により連動元を示すローバッテリー障害警報を出力させる。
【０１９８】
一方、ステップＳ６４で警報音障害フラグ１８０の記憶有りが検知された場合は、ステップＳ６６に進み、警報音代替処理によるローバッテリー障害警報出力としてＬＥＤ１２２に流す駆動電流を増加して点灯させ、ＬＥＤ１２２を強く光らせることにより警報音が出ないことによる連動先を示すローバッテリー障害警報機能の低下を補う。
【０１９９】
続いてステップＳ６７に進んで連番、送信元符号、グループ符号、ローバッテリー障害を示すイベント符号を含むイベント信号を他の住警器に送信して連動先としての障害警報を行わせる。
【０２００】
続いてステップＳ６８に進み、センサ障害の有無が検知されており、センサ障害判別有りが検知されるとステップＳ６９に進んでメモリ１３２にセンサ障害フラグ１７８をセットして記憶させると共に定期通報タイマ１８２を起動させる。
【０２０１】
続いてステップＳ７０に進み、メモリ１３２を参照して警報音障害フラグ１８０の記憶検の有無が検知され、警報音障害フラグ１８０の記憶有りが検知されない場合はステップＳ７１に進み、報知部１３６のスピーカ１５６からセンサ障害警報音とＬＥＤ１２２の点灯により連動元を示すセンサ障害警報を出力させる。
【０２０２】
一方、ステップＳ７０で警報音障害フラグ１８０の記憶有りが検知された場合は、ステップＳ７２に進み、警報音代替処理によるセンサ障害警報出力としてＬＥＤ１２２に流す駆動電流を増加して点灯させ、ＬＥＤ１２２を強く光らせることにより警報音が出ないことによる連動先を示すセンサ障害警報機能の低下を補う。
【０２０３】
続いてステップＳ７３に進んで連番、送信元符号、グループ符号、センサ障害を示すイベント符号を含むイベント信号を他の住警器に送信させる。
【０２０４】
続いてステップＳ７４に進み、警報音障害の有無が検知されており、警報音障害判別有りが検知されるとステップＳ７５に進んでメモリ１３２に警報音障害フラグ１８０をセットして記憶させると共に定期通報タイマ１８２を起動させる。
【０２０５】
続いてステップＳ７６で障害元を示す警報音障害警報を行わせるが、この場合、スピーカ１５６から音はでないため、ＬＥＤ１２２の例えば点灯のみにより障害表示を行わせる。この場合にも、ＬＥＤ１２２に流す駆動電流を増加してＬＥＤ１２２からは強い光が出すようにしても良い。
【０２０６】
続いてステップＳ７７に進んで連番、送信元符号、グループ符号、警報音障害を示すイベント符号を含むイベント信号を他の住警器に送信させ、他の住警器で連動先を示す障害警報音の出力と点滅による警報表示を行わせる。
【０２０７】
続いて図１３のステップＳ７８に進み、ステップＳ６３、Ｓ６９又はＳ７５で起動した定期鳴動タイマ１８６による所定時間経過した定期鳴動タイミングか否かが検知されており、定期鳴動タイミングが検知されるとステップＳ７９に進み、メモリ１３２にローバッテリー障害フラグ１７６、センサ障害フラグ１７８又は警報音障害フラグ１８０が記憶されているか否か検知され、いずれかの障害フラグの記憶が検知されるとステップＳ８０に進み、メモリ１３２を参照して警報音障害フラグ１８０の記憶の有無が検知され、警報音障害フラグ１８０の記憶有りが検知されない場合はステップＳ８１に進み、報知部１３６のスピーカ１５６からローバッテリー障害又はセンサ障害に対応した警報音とＬＥＤ１２２の点灯により連動元を示す障害警報を出力させる。
【０２０８】
またステップＳ８０で警報音障害フラグ１８０の記憶有りが検知された場合は、ステップＳ８２に進み、メモリ１３２を参照してローバッテリー障害フラグ１７６又はセンサ障害フラグ１７８の記憶有りが検知された場合はステップＳ８３に進み、警報音代替処理によるセンサ障害警報出力としてＬＥＤ１２２に流す駆動電流を増加して点灯させ、ＬＥＤ１２２を強く光らせることにより警報音が出ないことによるローバッテリー障害又はセンサ障害の警報機能の低下を補う。
【０２０９】
一方、ステップＳ８２でメモリ１３２を参照してローバッテリー障害フラグ１７６又はセンサ障害フラグ１７８の記憶有りが検知されない場合はステップＳ８４に進み、この場合は警報音障害フラグ１８０のみの記憶であることから、ＬＥＤ１２２を点灯して警報音障害を警報させる。なお、警報音障害についてもＬＥＤ１２２の駆動電流を増加させて強く光らせても良い。
【０２１０】
続いてステップＳ８５に進み、連番、送信元符号、グループ符号、ローバッテリー障害、センサ障害又は警報音障害を示すイベント符号を含むイベント信号を他の住警器に送信して連動先としての障害警報を行わせる。
【０２１１】
続いてステップＳ８６に進み、通常状態で点検スイッチとして機能する警報停止スイッチ１２０による点検操作の有無が検知されており、点検操作有りが検知されるとステップＳ８１に進み、メモリ１３２にローバッテリー障害フラグ１７６、センサ障害フラグ１７８又は警報音障害フラグ１８０が記憶有りが検知されない場合、障害検出の記憶無し（正常）が検知されてステップＳ８８に進み、スピーカ１５６から連動元を示す火災警報音をスピーカ点検用警報音として低音量で１回出力させると共に、ＬＥＤ１２２を点灯して点検表示を行わせる。
【０２１２】
一方、ステップＳ８７でメモリ１３２にローバッテリー障害フラグ１７６、センサ障害フラグ１７８又は警報音障害フラグ１８０の記憶有りが検知された場合は、ステップＳ８９に進んで警報音障害フラグ１８０の記憶の有無が検知され、警報音障害フラグ１８０の記憶有りが検知されない場合はステップＳ９０に進み、報知部１３６のスピーカ１５６からローバッテリー又はセンサ障害に対応した警報音とＬＥＤ１２２の点灯により連動元を示す障害警報を出力させる。
【０２１３】
またステップＳ８９で警報音障害フラグ１８０の記憶有りが検知された場合は、ステップＳ９１に進み、メモリ１３２を参照してローバッテリー障害フラグ１７６又はセンサ障害フラグ１７８の記憶有りが検知された場合はステップＳ９２に進み、警報音代替処理によるセンサ障害警報出力としてＬＥＤ１２２に流す駆動電流を増加して点灯させ、ＬＥＤ１２２を強く光らせることにより警報音が出ないことによるローバッテリー障害又はセンサ障害の警報機能の低下を補う。
【０２１４】
一方、ステップＳ９１でメモリ１３２を参照してローバッテリー障害フラグ１７６又はセンサ障害フラグ１７８の記憶有りが検知されない場合はステップＳ９３に進み、この場合は警報音障害フラグ１８０のみの記憶であることから、ＬＥＤ１２２を点灯して警報音障害を警報させる。なお、警報音障害についてもＬＥＤ１２２の駆動電流を増加させて強く光らせても良い。
【０２１５】
続いてステップＳ９４に進み、連番、送信元符号、グループ符号、ローバッテリー障害、センサ障害又は警報音障害を示すイベント符号を含むイベント信号を他の住警器に送信させて連動先としての障害警報を行わせる。
【０２１６】
なお、本発明における警報音障害が発生した場合の代替処理の他の実施形態として、警報器に警報振動を発生させる警報振動器となるバイブレータを設け、イベント検知部で警報音障害検知を検出した場合、バイブレータに駆動電流を流して警報振動を発生させるようにしても良い。この場合にも、バイブレータに流す駆動電流は、スピーカの設定平均駆動電流を超えないようにする。
【０２１７】
また、図８の実施形態において、「（３）他の住警器に送信するイベント信号の送信電力の増加」については、イベント検知部１５８で警報音障害が検知された場合にその旨を示す信号を受けて警報音代替処理部１７４により他の住警器に送信するイベント信号の送信電力を駆動電流増加により増加させる場合、当該増加する駆動電流は、スピーカ１５６の設定平均駆動電流を超えないようにする。
【０２１８】
また、上記の実施形態は火災を検知して警報する住警器を例にとるものであったが、ガス漏れ警報器、ＣＯ警報器、各種の防犯用警報器を配置した警報システムやそれら各種の警報器を混在させて配置した警報システムについても同様に適用できる。
【０２１９】
また、連動型の警報器同士は必ずしも連動するものでなくても良く、一部の警報器は連動し、他の警報器は連動しないものとしても良い。
【０２２０】
また、警報器の各連携は無線通信によるものでなくても良く、有線通信によっても、また有線と無線を適宜混在させるものであっても良い。
【０２２１】
また、上記の実施形態で警報停止スイッチとして示した操作手段は、必ずしもスイッチである必要は無く、リモコン装置等を使用して外部からの通信によって警報履歴出力を指示するもの等、どのような手段や方法を適用しても良い。
【０２２２】
また上記の実施形態におけるフローチャートは処理の概略例を説明したもので、処理の順番等はこれに限定されない。また各処理や処理と処理の間に必要に応じて遅延時間を設けたり、他の判定を挿入する等ができる。
【０２２３】
また、上記実施の形態で示した各機器のプロセッサは、その機能の一部又は全部を、例えばワイヤードロジック等による他の手段に代えることができる。プロセッサを含め他の電気的、機能的構成は適宜に統廃合することもできる。
【０２２４】
また上記の実施形態で述べた「受信がある」、「受信が無い」、「受信した場合」、「受信を判別」等は、受信した信号が有効なものとして認識されたか否かの判定も含んでいる。
【０２２５】
また、警報器の規格等によっては、上記実施形態のＬＥＤによる表示が「警報」と認められない場合があるが、本発明では規格上「警報」に含まれるか否かに関わらず、警報表示、警報に伴う表示、または単に表示として記載している。本発明の目的を達成できるものであれば、どのような表示手段を用いても構わない。そして、表示部は警報器と別体に設けられていても良い。
【０２２６】
また、上記の実施形態では、電池電源によって動作する住警器を例に取ったが、電池電源以外の電源で動作するものにも本発明を適用できる。この場合にはローバッテリー障害に代えて電源障害を検知することになる。
【０２２７】
また、上記の実施形態は住宅用に限らずビルやオフィス用など各種用途の警報器にも適用できる。
【０２２８】
また、上記の実施形態は警報器にセンサ部と警報出力処理部を一体に設けた場合を例にとるが、他の実施形態として、センサ部と警報出力処理部を別体とした警報器であっても良い。
【０２２９】
また本発明は上記の実施形態に限定されず、その目的と利点を損なうことのない適宜の変形を含み、更に上記の実施形態に示した数値による限定は受けない。
【符号の説明】
【０２３０】
１０，１００，１００−１〜１００−６：住警器
１２：カバー
１４：本体
１５：取付フック
１６，１１６：検煙部
１８：音響孔
２０，１２０：警報停止スイッチ
２２，２２−１〜２２−ｎ，１２２：ＬＥＤ
２４，１２８：プロセッサ
２６，１３２：メモリ
２８，１３４：センサ部
３０，１３６：報知部
３２，１３８：操作部
３４：移報部
３５，１４０：電池電源
３６，１５６：スピーカ
３８，１５８：イベント検知部
４０，１６４：警報処理部
５０，１７４：警報音代替処理部
５２，１７６：ローバッテリー障害フラグ
５４，１７８：センサ障害フラグ
５６，１８０：警報音障害フラグ
５８，１８２：定期通報タイマ
１３０：無線通信部
１４２：送信回路
１４４：受信回路
１４６：イベント信号
１４８：連番
１５０：送信元符号
１５２：グループ符号
１５４：イベント符号
【図１】
0005844546.tif 000002
【図２】
0005844546.tif 000003
【図３】
0005844546.tif 000004
【図４】
0005844546.tif 000005
【図５】
0005844546.tif 000006
【図６】
0005844546.tif 000007
【図７】
0005844546.tif 000008
【図８】
0005844546.tif 000009
【図９】
0005844546.tif 000010
【図１０】
0005844546.tif 000011
【図１１】
0005844546.tif 000012
【図１２】
0005844546.tif 000013
【図１３】
0005844546.tif 000014